(57)【要約】      （修正有）【課題】真空掃除機からの取り外しが容易にできるフィルター組立体を提供する。【解決手段】真空掃除機の本体のフィルター組立体凹所に挿入されたフィルター組立体４４は、フィルター媒体５８と、付勢バネによってロック位置に付勢されているフィルター組立体取外タブ７０，７２と、前方取付ピン７４，７６及び後方取付ピンを備え、利用者がフィルター組立体取外タブ７０，７２を把持し抓むように力を作用させることで、前方取付ピン７４，７６を本体のロック形体から取り外すことができるので、フィルター組立体４４をフィルター組立体凹所から容易に取り外すことができる。【選択図】図１
2019072485.tif 000002
【特許請求の範囲】
【請求項１】
真空掃除機のためのフィルター組立体であって、
ハウジングと、前記ハウジングの内部に配置されているフィルター媒体と、前記ハウジングの表面に形成されている凹所と、第１の位置と第２の位置との間において移動可能とされるタブと、固定位置と解放位置との間において移動可能とされる固定部材と、を備えている前記フィルター組立体において、
前記固定部材が、前記固定位置に位置する場合に、前記フィルター組立体を前記真空掃除機に固定するように前記真空掃除機と係合可能とされ、
前記固定部材が、前記解放位置に位置する場合に、前記フィルター組立体が前記真空掃除機から取り外されるように前記真空掃除機から係合解除可能とされ、
前記タブが、前記第１の位置と前記第２の位置との間において移動されることによって、前記固定部材が、前記固定位置と前記解放位置との間において移動され、
前記タブが、記第１の位置に位置する場合に、前記ハウジングの前記表面の下方に配置されるように前記凹所の内部に配置されていることを特徴とするフィルター組立体。
【請求項２】
前記固定部材が、前記タブと一体に形成されていることを特徴とする請求項１に記載のフィルター組立体。
【請求項３】
前記固定部材が、前記ハウジングに形成されているチャネルを通じて外方に延在していることを特徴とする請求項１又は２に記載のフィルター組立体。
【請求項４】
前記固定部材が、前記フィルター組立体が前記真空掃除機の内部の動作可能位置に配置されている場合に露出されていない前記ハウジングの前記表面に配置されていることを特徴とする請求項１〜３のいずれか一項に記載のフィルター組立体。
【請求項５】
前記凹所が、利用者の親指以外の指及び／又は親指に対応する形状及び大きさとされることを特徴とする請求項１〜４のいずれか一項に記載のフィルター組立体。
【請求項６】
前記タブが、前記凹所の内部に回動可能に取り付けられていることを特徴とする請求項１〜５のいずれか一項に記載のフィルター組立体。
【請求項７】
前記タブが、前記第１の位置に向かって弾性的に付勢されていることを特徴とする請求項１〜６のいずれか一項に記載のフィルター組立体。
【請求項８】
前記タブが、前記第１の位置に位置する場合に、前記タブと前記凹所の下面との間に間隙が形成されるように、前記凹所の内部に配置されていることを特徴とする請求項１〜７のいずれか一項に記載のフィルター組立体。
【請求項９】
前記タブの少なくとも一部分が、前記タブが前記第２の位置に位置する場合に、前記ハウジングの前記表面の上方に配置されていることを特徴とする請求項１〜８のいずれか一項に記載のフィルター組立体。
【請求項１０】
前記タブの少なくとも一部分が、前記タブが前記第１の位置から前記第２の位置に移動された場合に、前記凹所から脱離するように回動することを特徴とする請求項１〜９のいずれか一項に記載のフィルター組立体。
【請求項１１】
前記フィルター組立体が、さらなる凹所の内部に配置されているさらなるタブと、さらなる固定部材と、を備えており、
前記さらなるタブが、第１の位置と第２の位置との間において移動可能とされ、
前記さらなる固定部材が、固定位置と解放位置との間において移動可能とされ、
前記さらなるタブが、前記さらなる固定部材の前記固定位置と前記さらなる固定部材の前記解放位置との間において前記さらなる固定部材を移動させるために、前記さらなるタブの前記第１の位置と前記さらなるタブの前記第２の位置との間において移動可能とされ、
前記さらなるタブが、前記さらなるタブの前記第１の位置に位置する場合に、前記さらなるタブが前記ハウジングの前記表面の下方に配置されるように、前記さらなる凹所の内部に配置されていることを特徴とする請求項１〜１０のいずれか一項に記載のフィルター組立体。
【請求項１２】
前記タブと前記さらなるタブとが、前記タブ及び前記さらなるタブそれぞれの前記第１の位置から前記タブ及び前記さらなるタブそれぞれの前記第２の位置に互いに向かって移動可能とされることを特徴とする請求項１１に記載のフィルター組立体。
【請求項１３】
本体と、請求項１〜１２のいずれか一項に記載のフィルター組立体と、を備えている真空掃除機において、
前記本体が、フィルター組立体凹所を備えており、
前記フィルター組立体が、前記フィルター組立体凹所の内部に取り外し可能に取り付けられており、
前記固定部材が、前記固定位置に位置する場合に、前記フィルター組立体を前記フィルター組立体凹所の内部に固定するように前記本体と係合し、
前記固定部材が、前記解放位置に位置する場合に、前記フィルター組立体が前記フィルター組立体凹所から取り外されるように、前記本体から係合解除されることを特徴とする真空掃除機。
【請求項１４】
前記真空掃除機が、前記本体に取り外し可能に取り付けられている分離装置を備えており、
前記分離装置が、前記本体に取り付けられている場合に前記フィルター組立体の上方に位置していることを特徴とする請求項１３に記載の真空掃除機。
【請求項１５】
前記分離装置が、前記フィルター組立体の前記ハウジングの前記表面に載置されていることを特徴とする請求項１４に記載の真空掃除機。
【請求項１６】
前記フィルター組立体凹所が、前記本体の湾曲面に形成されており、
前記フィルター組立体の前記ハウジングの前記表面が、湾曲しており、前記本体の前記湾曲面の湾曲に一致していることを特徴とする請求項１３〜１５のいずれか一項に記載の真空掃除機。
【請求項１７】
前記フィルター組立体の前記ハウジングの前記表面が、前記フィルター組立体凹所を囲んでいる前記本体の表面と面一に配置されていることを特徴とする請求項１３〜１６のいずれか一項に記載の真空掃除機。
【発明の詳細な説明】
【技術分野】
【０００１】
本発明は、真空掃除機のためのフィルター組立体に関する。
【背景技術】
【０００２】
真空掃除機は、一般に、塵埃を含む空気流を真空掃除機に取り込むためのモータ駆動式ファンユニットを収容している本体と、空気流から塵埃を分離させるための、例えばサイクロン式分離器やバッグのような分離装置とを備えている。一部の分離装置は、空気流から塵埃を効率的に分離させるが、真空掃除機は、一般に、空気流がモータ駆動式ファンユニットを通過して本体から排出される前に空気流から塵埃をさらに分離させるために、モータ駆動式ファンユニットの前方及び／又は後方にフィルターを備えている。
【０００３】
このようなフィルターは、一般に、フィルターの清浄及び／又は交換を可能とするために、真空掃除機から取り外し可能とされる。
【発明の概要】
【発明が解決しようとする課題】
【０００４】
本発明の第１の実施形態は、真空掃除機のためのフィルター組立体であって、ハウジングと、ハウジングの内部に配置されているフィルター媒体と、ハウジングの表面に形成されている凹所と、第１の位置と第２の位置との間において移動可能とされるタブと、固定位置と解放位置との間において移動可能とされる固定部材と、を備えているフィルター組立体において、固定部材が、固定位置に位置する場合に、フィルター組立体を真空掃除機に固定するように真空掃除機と係合可能とされ、固定部材が、解放位置に位置する場合に、フィルター組立体が真空掃除機から取り外されるように真空掃除機から係合解除可能とされ、タブが、第１の位置と第２の位置との間において移動されることによって、固定部材が、固定位置と解放位置との間において移動され、タブが、タブが第１の位置に位置する場合に、ハウジングの表面の下方に配置されるように凹所の内部に配置されていることを特徴とするフィルター組立体を提供する。
【０００５】
本発明の第１の実施態様におけるフィルター組立体が優位である主たる理由は、フィルター組立体が、ハウジングの表面に形成されている凹所と、第１の位置と第２の位置との間において移動可能とされるタブと、固定位置と解放位置との間において移動可能とされる固定部材と、を備えているフィルター組立体において、固定部材が、固定位置に位置する場合に、フィルター組立体を真空掃除機に固定するように真空掃除機と係合可能とされ、固定部材が、解放位置に位置する場合に、フィルター組立体が真空掃除機から取り外されるように真空掃除機から係合解除可能とされ、タブが、第１の位置と第２の位置との間において移動されることによって、固定部材が、固定位置と解放位置との間において移動され、タブが、タブが第１の位置に位置する場合に、ハウジングの表面の下方に配置されるように凹所の内部に配置されていることである。
【０００６】
特にタブが、タブが第１の位置に位置する場合に、ハウジングの表面の下方に配置されるように凹所の内部に配置されているので、フィルター組立体を真空掃除機の内部の動作可能位置から変位されることを常に防止することができる。さらに、タブが、タブが第１の位置に位置する場合に、ハウジングの表面の下方に配置されているので、ひいてはタブが、通常、動作可能位置において表面から外方に突出していないので、フィルター組立体の表面が、フィルター組立体が動作可能位置に位置している場合に、真空掃除機の外面の一部分を形成しており、及び／又は、第１の位置から第２の位置に至るタブの移動の影響を受けないように真空掃除機の他の構成部品が取り付けられている表面を形成している。これにより、フィルター組立体を真空掃除機の内部の動作可能位置から変位させることができる。例えば、フィルター組立体のハウジングの表面は、フィルター組立体が真空掃除機の内部の動作可能位置に位置している場合に、真空掃除機の表面と略面一に配置されている。
【０００７】
固定部材は、フィルター組立体を動作可能位置で真空掃除機の内部に固定している。動作可能位置は、フィルター組立体がフィルター組立体の予定されたフィルタリング機能を発揮させることができるように、フィルター組立体が真空掃除機に取り付けられている位置を意味する。動作可能位置は、モータの前方及び／又はモータの後方の位置とされる。
【０００８】
第２の位置は、フィルター組立体を真空掃除機の内部の動作可能位置に挿入可能とされる位置である。
【０００９】
タブは、第１の位置においてフィルター組立体のハウジングの表面と略面一に配置されている。
【００１０】
凹所は、フィルター組立体がフィルター組立体の動作可能位置に位置している場合に露出されているハウジングの表面に形成されている。このことは、利用者が第１の位置と第２の位置との間においてタブを移動させるためにタブにアクセス可能となる点において、優位である。また、このことは、例えばフィルター組立体が真空掃除機の対応する凹所に配置されている場合に、タブが第１の位置と第２の位置との間において偶発的に移動する恐れなく、当該表面が真空掃除機の構成部品を受容する表面を形成する点において、優位である。凹所は、ハウジングの上面に形成されている。凹所は、ハウジングの湾曲面に形成されている。
【００１１】
固定部材が、対応する固定凹所を受容するための突起及び／若しくは凹所、並びに／又は真空掃除機の突起を備えている。固定部材は、ハウジングの表面から、例えば凹所に形成された表面以外の表面から外方に延在している突起を備えている。固定部材は、フィルター組立体が動作可能位置において真空掃除機に据え付けられた場合に露出されていないフィルター組立体のハウジングの表面に配置されている。このことは、固定位置と解放位置との間における固定部材の不慮の移動を防止することができる点において、優位である。固定部材は、凹所が形成された表面に対して略直角とされる方向において、ハウジングから外方に延在している。固定部材と対応する固定凹所及び／又は固定突起とは、堅固な固定を実現するための構成とされる。
【００１２】
固定部材が、例えば直接的に、タブに接続されており、及び／又はタブと一体に形成されている。このことは、フィルター組立体の可動部品の数量を減らすことができるので優位である。これにより、製造コストを低減させ、及び／又は利用時に破損する可能性がある可動部品の収量が減るので、フィルター組立体の動作の信頼性を高めることができる。
【００１３】
固定部材が、ハウジングに形成されているチャネルを通じて外方に延在しており、固定位置と解放位置との間において移動可能とされる。このことは、チャネルが固定部材の動作を拘束するので、固定位置と解放位置との間における固定部材の移動の信頼性を高めることができるので、優位である。
【００１４】
タブは、第１の位置と第２の位置との間における移動に影響を及ぼすことができるように、利用者によって把持可能とされる。凹所は、利用者の親指以外の指及び／又は親指に対応する形状及び大きさとされる。このことは、利用時にタブを把持することが望ましい場合に、利用者がタブに容易にアクセス可能となるので、優位である。
【００１５】
タブが、凹所の内部において回動可能に取り付けられており、例えば第１の位置と第２の位置との間において回動可能とされる。このことは、凹所を比較的小さくすることができるので、例えば凹所をタブのスライド動作を調整するために必要とされる凹所より小さくすることができるので、優位である。
【００１６】
タブが、第１の位置に向かって弾性的に付勢されている。さらに、このことは、フィルター組立体を真空掃除機の内部の動作可能位置から変位させるようにタブが偶発的に作動することを防止することができる。
【００１７】
タブは、第１の位置に位置する場合に、タブと凹所の下面との間に間隙が形成されるように、凹所の内部に配置されている。このことは、間隙によって利用者が、第１の位置と第２の位置との間におけるタブの移動に影響を及ぼすように、自身の親指及び／又は親指以外の指をタブの下面に引っ掛けることができるので、優位である。また、このことは、第１の位置において利用者が把持するために利用可能とされるタブの表面積を大きくすることができるので、利用者は、第１の位置と第２の位置との間においてタブを移動させる場合に一層確実にタブを把持することができる。
【００１８】
タブの少なくとも一部分は、タブが第２の位置に位置する場合に、ハウジングの表面の上方に配置されている。このことは、例えばフィルター組立体を動作可能位置から変位させる際に、利用者が第２の位置に位置するタブを保持するように把持するために利用可能とされるタブの面積を大きくすることができるので、優位である。タブの少なくとも一部分が、タブが第１の位置から第２の位置に移動された場合に、凹所から脱離するように回動する。このことは、利用者に対して露出しているタブの表面積が第１の位置と第２の位置との間において大きくなるので、優位である。利用者がタブに作用させる把持力が、タブが第１の位置から第２の位置に向かって移動するに従って大きくなるからである。
【００１９】
フィルター組立体が、さらなる凹所の内部に配置されているさらなるタブと、さらなる固定部材と、を備えている。さらなるタブが、第１の位置と第２の位置との間において移動可能とされる。さらなる固定部材が、固定位置と解放位置との間において移動可能とされる。さらなるタブが、さらなる固定部材の固定位置とさらなる固定部材の解放位置との間においてさらなる固定部材を移動させるために、さらなるタブの第１の位置とさらなるタブの第２の位置との間において移動可能とされる。さらなるタブが、さらなるタブの第１の位置に位置する場合に、さらなるタブがハウジングの表面の下方に配置されるように、さらなる凹所の内部に配置されている。
【００２０】
タブとさらなるタブとが、タブ及びさらなるタブそれぞれの第１の位置からタブ及びさらなるタブそれぞれの第２の位置に互いに向かって移動可能とされる。このことは、抓み力によってタブを移動及び／又は保持することができるので、タブとさらなるタブとを第１の位置から第２の位置に移動させることができ、取外の際にこれらタブの把持を調整するための利用を必要としないで、フィルター組立体を動作可能位置から変位させることができる点において、優位である。タブとさらなるタブとは、例えば抓み動作を利用することによって利用者の親指と人差し指との間で把持可能とされるように配置されている。
【００２１】
フィルター組立体は、タブ及びさらなるタブそれぞれが自身の第２の位置に位置している場合に、動作可能位置から変位可能とされる。
【００２２】
本発明の第２の実施態様は、本体と、本発明の第１の実施態様におけるフィルター組立体と、を備えている真空掃除機において、本体が、フィルター組立体凹所を備えており、フィルター組立体が、フィルター組立体凹所の内部に取り外し可能に取り付けられており、固定部材が、第１の位置に位置する場合に、フィルター組立体をフィルター組立体凹所の内部に固定するように本体と係合し、固定部材が、解放位置に位置する場合に、フィルター組立体がフィルター組立体凹所から取り外されるように、本体から係合解除されることを特徴とする真空掃除機を提供する。
【００２３】
真空掃除機が、本体に取り外し可能に取り付けられている分離装置を備えており、分離装置が、本体に取り付けられている場合にフィルター組立体の上方に位置している。分離装置が、フィルター組立体のハウジングの表面に載置されている。
【００２４】
フィルター組立体凹所が、本体の湾曲面に形成されており、フィルター組立体のハウジングの表面が、湾曲しており、本体の湾曲面の湾曲に一致している。フィルター組立体のハウジングの表面が、フィルター組立体凹所を囲んでいる本体の表面と面一に配置されている。このことは、例えば分離装置のような真空掃除機の構成部品をフィルター組立体のハウジングの表面とフィルター組立体凹所を囲んでいる本体の表面とに容易に取り付けることができる点において、優位である。
【００２５】
本発明を良好に理解するために、且つ本発明の技術的効果を一層明確に示すために、本発明について、添付図面を参照しつつ例示的に説明する。
【図面の簡単な説明】
【００２６】
【図１】本発明の第１の実施態様における、固定状態にあるフィルター組立体の前方上方から見た斜視図である。
【図２】取外状態にある、図１に表わすフィルター組立体の前方上方から見た斜視図である。
【図３】図２に表わすフィルター組立体の前方下方から見た斜視図である。
【図４】図１に表わすフィルター組立体の前方下方から見た斜視図である。
【図５】本発明の第２の実施態様における真空掃除機の分解斜視図である。
【図６】フィルター組立体が取り外された状態における、図５に表わす真空掃除機の本体の上面図である。
【図７】図６に表わす本体のフィルター組立体凹所の拡大図である。
【図８】フィルター組立体が動作可能位置に位置している、図６に表わす本体の上面図である。
【発明を実施するための形態】
【００２７】
図１〜図４は、本発明におけるフィルター組立体４４を表わす。
【００２８】
フィルター組立体４４は、フィルター入口５４及びフィルター出口５６を具備するフィルターハウジング５２を備えている。フィルターハウジング５２は、一般に湾曲した形態とされ、実質的に中空である。フィルター入口５４は、フィルターハウジング５２の下面に形成されている開口部を備えており、当該開口部は、フィルターハウジング５２の内部と流通している。フィルターハウジング５２の壁は、実質的にフィルター出口５６を形成するように開口しており、実質的に開口されている壁は、フィルター媒体５８がフィルターハウジング５２の内部にチャネルを形成するように、フィルター媒体５８を受容する。フィルター出口５６の表面積は、フィルター入口５４の表面積より大きいので、利用時の騒音を低減させることができる。
【００２９】
フィルターハウジング５２の上面６０は、ウィング６２，６４を形成するように湾曲且つ拡開している。上面６０は、第１の凹所６６及び第２の凹所６８を備えており、第１の凹所６６及び第２の凹所６８の内部には、フィルター組立体取外タブ７０，７２が収容されている。フィルター組立体取外タブ７０，７２を第１の凹所６８及び第２の凹所７０の内部に載置することによって、フィルター組立体取外タブ７０，７２の偶発的な作動を防止することができる。第１の凹所６６及び第２の凹所６８は、少なくとも部分的にウィング６２，６４に沿って延在しており、利用者の親指及び人差し指に対応する形状及び大きさになっている。
【００３０】
フィルター組立体取外タブ７０，７２は、略平坦とされ、湾曲した端部リップを有しており、前方取付ピン７４，７６及び後方取付ピンによって、凹所６６，６８の内部に回動可能に取り付けられている。前方取付ピン７４，７６は、フィルターハウジング５２の内部においてチャネル８２，８４それぞれを貫通して延在しており、フィルター組立体４４のロック構造７４，７６を形成している。フィルター組立体取外タブ７０，７２は、フィルター組立体取外タブ７０，７２の全体が凹所６６，６８の内部に収容されているロック位置と、フィルター組立体取外タブ７０，７２が部分的に凹所６６，６８それぞれから突出している取外／挿入位置との間で回動可能とされる。ロック位置と取外／挿入位置とは、図１及び図２それぞれに表わされる。フィルター組立体取外タブ７０，７２は、適切な付勢バネ（図示しない）によって、ロック位置に向かって弾性的に付勢されている。
【００３１】
図１に表わすように、フィルター組立体取外タブ７０，７２がロック位置に位置する場合に、前方取付ピン７４，７６は、チャネル８２，８４それぞれの対向する第１の端部に配置されている。フィルター組立体取外タブ７０，７２の全体が、フィルター組立体取外タブ７０，７２それぞれと凹所６６，６８の底部それぞれとの間において、凹所６６，６８の内部に収容されている。フィルター組立体取外タブ７０，７２をロック位置から取外／挿入位置に移動させることが望ましい場合には、利用者は、自身の親指及び人差し指を凹所６６，６８に挿入し、フィルター組立体取外タブ７０，７２を把持することができる。フィルター組立体取外タブ７０，７２を抓むように力を作用させることによって、すなわちフィルター組立体取外タブ７０，７２を付勢バネの作用に抗して互いに向かって移動させることによって、前方取付ピン７４，７６が、チャネル８２，８４の内部において互いに向かって移動し、フィルター組立体取外タブ７０，７２が、フィルター組立体取外タブ７０，７２が部分的に凹所６６，６８から突出するように回動される、利用者が把持するために利用可能とされるフィルター組立体取外タブ７０，７２の表面積は、フィルター組立体取外タブ７０，７２がロック位置から取外／挿入位置に向かって回動するに従って大きくなる。
【００３２】
図５〜図８は、本発明におけるフィルター組立体４４を利用する真空掃除機１０を表わす。
【００３３】
真空掃除機１０は、本体１２と分離装置１４と可撓性ホース１６とワンド組立体１８と掃除機ヘッド２０とを備えている。図６〜図８は、真空掃除機１０の他の構成部品を省略した本体１２を表わす。分離装置１４と可撓性ホース１６とワンド組立体１８と掃除機ヘッド２０とは、分離装置１４はその下面に形成された汚染空気入口と清浄空気出口とを有していることを除いて、従来技術に基づくものであるので、本明細書では詳述しない。
【００３４】
本体１２は、中空の略球状の形態とされ、分離器凹所２２とフィルター組立体凹所２８とを備えている。
【００３５】
分離器凹所２２は、分離装置１４の一部分が分離器凹所２２から上方に突出するように、分離装置１４を受容することができる形状及び大きさとされる。
【００３６】
フィルター組立体凹所２８は、分離器凹所２２の湾曲面に形成されている。フィルター組立体凹所２８は、フィルター組立体４４を受容することができる形状及び大きさとされる。フィルター組立体凹所２８の領域における本体１２の内面４６は、フィルター組立体４４の対応するロック形体７４，７６と係合するための第１のロック形体４８及び第２のロック形体５０を備えている。第１のロック形体４８と第２のロック形体５０とは、内面４６に形成されている略Ｌ字状の凹所を備えている。
【００３７】
フィルター組立体４４が例えばモータ前フィルターのように動作可能位置に位置するようにフィルター組立体４４がフィルター組立体凹所２８に挿入された場合に、フィルター入口５４は、本体１２の内部に取り付けられているモータ駆動式ファンユニットからの排気口と流通している。上面６０の湾曲は、分離器凹所２２の湾曲に一致するので、フィルターハウジング５２の上面６０は、図８に表わすように、分離器凹所２２の表面の一部分を形成している。従って、分離装置１４の一部分は、利用時にフィルター組立体４４の上面６０に載置されている。
【００３８】
前方取付ピン７４，７６は、フィルター組立体４４がフィルター組立体凹所２８から脱離することを防止するために、本体１２の内面４６の第１のロック形体４８及び第２のロック形体５０の対応する部分と係合する。例えば清掃及び／又は交換のためにフィルター組立体４４を取り外すことが望ましい場合に、フィルター組立体取外タブ７０，７２が、上述のように取外／挿入位置に移動され、前方取付ピン７４，７６が、Ｌ字状の第１のロック形体４８及び第２のロック形体５０のチャネルと位置合わせされ、これにより前方取付ピン７４，７６を対応する第１のロック形体４８及び第２のロック形体５０から取り外すことができ、フィルター組立体４４をフィルター組立体凹所２８から取り外すことができる。
【００３９】
利用の際に、モータ駆動式ファンユニットは、真空掃除機１０を通じた吸引流れを発生させる。空気は、掃除機ヘッド２０に引き込まれ、ワンド組立体１８及び可撓性ホース１６を通過し、汚染空気入口ダクトを介して分離装置１４の内部に到達する。
【００４０】
塵埃は、分離装置１４によって空気流から取り除かれ、清浄された空気が、分離装置１４から、本体１２の内部に収容されているモータ駆動式ファンユニットに到達する。モータ駆動式ファンユニットによって排出される空気流は、フィルター組立体４４のフィルター入口５４を通過し、さらにフィルター媒体５８を通過し、フィルター出口５６から外方へ排出される。フィルター出口５６からの空気流は、出口ダクトを介して周囲大気に排出される。
【００４１】
清浄及び／又は交換のためにフィルター組立体４４を取り外すことが望ましい場合には、利用者は、フィルター組立体４４の取外及び／又は再挿入を可能とするために、上述の方法でフィルター組立体取外タブ７０，７２を利用することができる。
【符号の説明】
【００４２】
１０  真空掃除機
１２  本体
１４  分離装置
１６  可撓性ホース
１８  ワンド組立体
２０  掃除機ヘッド
２２  分離器凹所
２８  フィルター組立体凹所
４４  フィルター組立体
４６  （本体１２の）内面
４８  第１のロック形体
５０  第２のロック形体
５２  フィルターハウジング
５４  フィルター入口
５６  フィルター出口
５８  フィルター媒体
６０  （フィルターハウジング５２の）上面
６２  ウィング
６４  ウィング
６６  第１の凹所
６８  第２の凹所
７０  フィルター組立体取外タブ
７２  フィルター組立体取外タブ
７４  前方取付ピン
７６  前方取付ピン
８２  チャネル
８４  チャネル
【図１】
2019072485.tif 000003
【図２】
2019072485.tif 000004
【図３】
2019072485.tif 000005
【図４】
2019072485.tif 000006
【図５】
2019072485.tif 000007
【図６】
2019072485.tif 000008
【図７】
2019072485.tif 000009
【図８】
2019072485.tif 000010
【外国語明細書】
2019072485000001.pdf